(57)【特許請求の範囲】
【請求項１】
熱媒体を高温熱源と熱交換させ前記熱媒体を蒸発させる蒸発器と、該蒸発器で蒸発させた前記熱媒体を圧縮する圧縮機と、該圧縮機で圧縮された前記熱媒体を低温熱源と熱交換させ前記熱媒体を凝縮させる凝縮器と、該凝縮器で凝縮させた前記熱媒体を膨張させて前記蒸発器に供給する膨張弁と、前記蒸発器と前記圧縮機と前記凝縮器と前記膨張弁とを順次ループ状に接続する熱媒体循環ラインと、を備え、前記蒸発器に供給される前記高温熱源の温度が環境温度よりも高いヒートポンプにおいて、
前記熱媒体循環ラインに前記圧縮機をバイパスするように設けられた圧縮機バイパスラインと、該圧縮機バイパスラインに設けられた圧縮機バイパス弁と、前記圧縮機を加熱する圧縮機用加熱手段と、前記圧縮機近傍の前記熱媒体循環ラインの配管温度を計測する圧縮機用温度計と、前記熱媒体を加熱する熱媒体用加熱手段と、前記凝縮器の下流側の前記熱媒体の温度を計測する熱媒体用温度計と、前記圧縮機と前記膨張弁と前記圧縮機バイパス弁とを制御する制御器とを備え、
前記制御器は、
運転開始時に、前記圧縮機バイパス弁を開放し、前記蒸発器と前記熱媒体用加熱手段の両方または一方により加熱した前記熱媒体を循環させて装置全体の予熱を行うと共に、前記圧縮機用加熱手段により前記圧縮機を加熱し、
前記圧縮機用温度計の検出温度が予め設定した閾値以上となり、かつ、前記熱媒体用温度計の検出温度が予め設定した閾値以上となったときに、前記圧縮機バイパス弁を閉じ、前記圧縮機の運転を開始させる運転開始時制御部を有することを特徴とするヒートポンプ。
【請求項２】
前記凝縮器は、前記蒸発器よりも上方に配置され、
前記運転開始時制御部は、運転開始時に、前記圧縮機バイパス弁を開放し、前記熱媒体を前記蒸発器にて蒸発させて上方の前記凝縮器に供給すると共に、その蒸発した前記熱媒体を前記凝縮器にて凝縮させて下方の前記蒸発器に戻す自然循環を発生させる
請求項１記載のヒートポンプ。
【請求項３】
前記熱媒体循環ラインの一部をバイパスするように設けられたポンプ用バイパスラインと、前記ポンプ用バイパスラインに設けられた循環ポンプと、前記ポンプ用バイパスラインでバイパスした前記熱媒体循環ラインに設けられたポンプ用バイパス弁と、をさらに備え、
前記運転開始時制御部は、運転開始時に、前記圧縮機バイパス弁を開放し、前記膨張弁を開放すると共に、前記ポンプ用バイパス弁を閉じ、前記循環ポンプの運転を開始させて前記熱媒体を強制循環させる
請求項１記載のヒートポンプ。
【請求項４】
前記運転開始時制御部は、前記圧縮機用温度計の検出温度が予め設定した閾値以上となり、かつ、前記熱媒体用温度計の検出温度が予め設定した閾値以上となったときに、前記圧縮機バイパス弁と前記膨張弁の開度を調整して前記蒸発器の液位が所定の液位となるように制御した後、前記圧縮機の運転を開始させると共に、前記圧縮機バイパス弁を閉じる
請求項１〜３いずれかに記載のヒートポンプ。
【請求項５】
前記蒸発器に供給される前記高温熱源の温度を計測する高温熱源用温度計をさらに備え、
前記運転開始時制御部は、運転開始時に、前記高温熱源用温度計で検出した前記高温熱源の温度が所定温度未満であるとき、前記熱媒体用加熱手段により前記熱媒体を加熱する
請求項１〜４いずれかに記載のヒートポンプ。
【請求項６】
熱媒体を高温熱源と熱交換させ前記熱媒体を蒸発させる蒸発器と、該蒸発器で蒸発させた前記熱媒体を圧縮する圧縮機と、該圧縮機で圧縮された前記熱媒体を低温熱源と熱交換させ前記熱媒体を凝縮させる凝縮器と、該凝縮器で凝縮させた前記熱媒体を膨張させて前記蒸発器に供給する膨張弁と、前記蒸発器と前記圧縮機と前記凝縮器と前記膨張弁とを順次ループ状に接続する熱媒体循環ラインと、を備え、前記蒸発器に供給される前記高温熱源の温度が環境温度よりも高いヒートポンプの制御方法において、
前記熱媒体循環ラインに前記圧縮機をバイパスするように圧縮機バイパスラインを設けると共に、該圧縮機バイパスラインに圧縮機バイパス弁を設け、前記圧縮機を加熱する圧縮機用加熱手段と、前記圧縮機近傍の前記熱媒体循環ラインの配管温度を計測する圧縮機用温度計と、前記熱媒体を加熱する熱媒体用加熱手段と、前記凝縮器の下流側の前記熱媒体の温度を計測する熱媒体用温度計とを設け、
運転開始時に、前記圧縮機バイパス弁を開放し、前記蒸発器と前記熱媒体用加熱手段の両方または一方により加熱した前記熱媒体を循環させて装置全体の予熱を行うと共に、前記圧縮機用加熱手段により前記圧縮機を加熱し、
前記圧縮機用温度計の検出温度が予め設定した閾値以上となり、かつ、前記熱媒体用温度計の検出温度が予め設定した閾値以上となったときに、前記圧縮機バイパス弁を閉じ、前記圧縮機の運転を開始させることを特徴とするヒートポンプの制御方法。
【発明の詳細な説明】
【技術分野】
【０００１】
本発明は、蒸発器に供給される高温熱源の温度が環境温度よりも高いヒートポンプ及びその制御方法に係り、特に、運転開始時に定格運転に到達するまでの時間を短縮可能なヒートポンプ及びその制御方法に関するものである。
【背景技術】
【０００２】
ヒートポンプとは、凝縮器、圧縮機、蒸発器、膨張弁を基幹部品とした閉ループと、閉ループ内に充填された熱媒体（熱媒）から構成される熱移動機器である。
【０００３】
一般的に認知されているヒートポンプとしては、家庭用冷蔵庫、家庭用エアコンなどがある。なお、ヒートポンプという名称は、家庭用エアコンの冷房モードのように大気の高温熱源から室内の低温空気を生む冷却機器と、暖房モードのように大気の低温熱源から室内の高温空気を生む加熱機器の両方の意味を含有しているが、本明細書では、ヒートポンプを加熱機器としてのみ扱う。
【０００４】
ヒートポンプでは、まず、蒸発器で高温熱源と熱交換（吸熱）を行い熱媒体を昇温し、熱媒体を蒸発させる。蒸発器にて蒸発した熱媒体は、圧縮機において圧縮され、昇温・昇圧される。その後、凝縮器において低温熱源と熱交換（放熱）を行い熱媒体を高圧のまま降温し、熱媒体を凝縮する。このとき、熱媒体の放熱により低温熱源に用いる媒体が加熱されるが、この凝縮器における放熱量は、蒸発器における吸熱量よりも大きくなる。凝縮器にて凝縮した熱媒体は、膨張弁において膨張（降圧）され、蒸発器に戻る。
【０００５】
なお、ヒートポンプでは、蒸発器にて蒸発して気相となった熱媒体を圧縮機を介して凝縮器に供給し、凝縮器にて凝縮して液相となった熱媒体を膨張弁を介して蒸発器に供給するが、熱媒体の循環をスムーズとするには、液相のときに下方（重力方向）に、気相のときに上方（重力方向と反対方向）に熱媒体を移動させるように構成することが好ましい。そのため、ヒートポンプでは、凝縮器を蒸発器よりも上方に配置することが一般的である。
【０００６】
ヒートポンプにおいて、運転を停止する場合（凝縮器で放熱の必要性がない場合）には、膨張弁を閉め、圧縮機の運転を停止することで熱媒体の循環（移動）を止めるのが一般的である。これは、膨張弁を開放したままだと、運転停止中に凝縮器にて凝縮して液相となった熱媒体が下方の蒸発器に溜まっていき、蒸発器における液位（蒸発器内に存在する液相の熱媒体の液面の位置）が高く、つまり蒸発器における液相の熱媒体の保液量が多くなってしまい、この状態で通常運転を再開すると、液相の状態（ミスト状）の熱媒体が圧縮機に供給されて不具合が発生するおそれがあるためである。
【０００７】
また、一般的なヒートポンプにおいては、運転開始時には、膨張弁を所定の開度で開放し圧縮機の運転を開始する。すると、熱媒体がループ内を循環しているうちに徐々に加熱され、装置全体が徐々に加熱されて定格運転に到達する。
【０００８】
なお、この出願の発明に関連する先行技術文献情報としては、次のものがある。
【先行技術文献】
【特許文献】
【０００９】
【特許文献１】特開２００９−５８１４７号公報
【特許文献２】特開２００９−８５０４４号公報
【特許文献３】特開２００７−１７０７６５号公報
【特許文献４】特開平９−１５２２０９号公報
【特許文献５】特開平９−１５２２０８号公報
【発明の概要】
【発明が解決しようとする課題】
【００１０】
ところで、家庭用エアコンの暖房モードにおいては、蒸発器での高温熱源が環境温度（大気温度）となっているが、これに対して、例えば、蒸気の再加熱に用いられる産業用のヒートポンプでは、環境温度よりも高温の蒸気（例えば、１００〜１５０℃の低温蒸気）を高温熱源として蒸発器に供給し、凝縮器にて低温蒸気を再加熱して高温蒸気（例えば１５０〜１８０℃の高温蒸気）とするものがある。
【００１１】
しかしながら、蒸発器に供給される高温熱源の温度が環境温度よりも高いヒートポンプ（以下、高温ヒートポンプと呼称する）においては、以下のような問題があった。
【００１２】
上述のように、ヒートポンプでは、運転停止時に膨張弁を閉じ、圧縮機を停止して熱媒体の循環を完全に停止させるが、運転停止中に熱媒体の熱が放熱（大気への放熱）され、系全体（ヒートポンプ全体）が環境温度に近い温度まで冷却される。なお、運転停止中に蒸発器に高温熱源が供給され続けている場合には、蒸発器周辺の温度は環境温度よりも高く維持されるが、蒸発器から離れた部分（例えば凝縮器周辺）では、蒸発器からの伝熱は多少あるものの、環境温度に近い温度まで冷却される。
【００１３】
家庭用エアコンの暖房モードなどで用いられる一般的なヒートポンプでは、熱媒体として蒸発温度（沸点）が環境温度以下（例えば２０℃以下）のものを用い、蒸発器を環境温度で作動させているため、系全体（ヒートポンプ全体）が環境温度に近い温度まで冷却されたとしても、圧縮機までの配管類や圧縮機内で熱媒体が凝縮してしまうことはない。よって、運転停止の状態からすぐに圧縮機の運転を開始しても、圧縮機に液相の熱媒体が供給されて圧縮機に不具合が発生してしまうおそれがない。よって、運転開始時には、圧縮機を運転させながら熱媒体を徐々に加熱し、装置全体を徐々に加熱して定格運転に到達させることができる。
【００１４】
しかし、高温ヒートポンプでは、蒸発器凝縮器温度ともに環境温度より高く、熱媒体として蒸発温度が高いもの（例えば蒸発温度が１００℃以上のもの）を用いる必要がある。よって、系全体（ヒートポンプ全体）が環境温度に近い温度まで冷却された状態で圧縮機の運転を開始すると、圧縮機直前に気液分離器を設置したとしても、熱媒体が気液分離器から圧縮機までの配管類や圧縮機内で凝縮してしまい、圧縮機に液相の熱媒体が供給されてしまう可能性がある。圧縮機に液相の熱媒体が供給されると、圧縮機のタイプによっては、深刻な影響を受け不具合が発生する場合がある。
【００１５】
特許文献１では、圧縮機に接続された蒸気供給管を予熱することで、圧縮機に作動媒体が導入される際に凝縮して液滴となることを抑制したヒートポンプシステムが提案されている。
【００１６】
しかし、特許文献１では、蒸気供給管のみを予熱しているため、蒸気供給管よりも熱容量が大きい圧縮機が十分に予熱されず、圧縮機内で熱媒体が凝縮してしまう可能性があり、結果的に、圧縮機に液相の熱媒体が供給されて不具合が発生してしまうおそれがある。
【００１７】
また、特許文献１を高温ヒートポンプに適用した場合であっても、圧縮機を運転させながら熱媒体を徐々に加熱し、装置全体を徐々に加熱して定格運転に到達させる方法では、運転開始時に定格運転に到達するまでの時間が非常に長くなってしまうというという問題がある。
【００１８】
具体的には、例えば、運転開始時に、圧縮機近傍の配管を十分に予熱し、予熱終了後に圧縮機の運転を開始し、圧縮機を運転させながら熱媒体を徐々に加熱し、装置全体を徐々に加熱して定格運転に到達させる方法が考えられるが、この方法では、圧縮機の運転開始時には圧縮機以外のヒートポンプの各構成要素はほぼ環境温度であり、熱媒体の温度もほぼ環境温度である。上述のように、高温ヒートポンプでは熱媒体の蒸発温度は例えば１００℃以上と高いので、このような状況では蒸発器で蒸発する熱媒体の量は非常に少なく、圧縮機の運転を開始しても熱媒体の循環流量がなかなか増加せず、また熱媒体は循環している間にヒートポンプの圧縮機以外の各構成要素にて冷却されることになるため、熱媒体の加熱に非常に時間がかかる。高温ヒートポンプでは、運転時の系全体（ヒートポンプ全体）の平均温度が例えば１５０℃以上と環境温度と比較して高温であるから、定格運転に到達するまでに極端に時間がかかることとなり、現実的ではない。
【００１９】
そこで、本発明の目的は、上記課題を解決し、蒸発器に供給される高温熱源の温度が環境温度よりも高いヒートポンプにおいて、運転開始時に定格運転に到達するまでの時間を短縮でき、かつ、圧縮機に液相の熱媒体が供給されることによる不具合の発生を防止可能なヒートポンプ及びその制御方法を提供することにある。
【課題を解決するための手段】
【００２０】
本発明は上記目的を達成するために創案されたものであり、熱媒体を高温熱源と熱交換させ前記熱媒体を蒸発させる蒸発器と、該蒸発器で蒸発させた前記熱媒体を圧縮する圧縮機と、該圧縮機で圧縮された前記熱媒体を低温熱源と熱交換させ前記熱媒体を凝縮させる凝縮器と、該凝縮器で凝縮させた前記熱媒体を膨張させて前記蒸発器に供給する膨張弁と、前記蒸発器と前記圧縮機と前記凝縮器と前記膨張弁とを順次ループ状に接続する熱媒体循環ラインと、を備え、前記蒸発器に供給される前記高温熱源の温度が環境温度よりも高いヒートポンプにおいて、前記熱媒体循環ラインに前記圧縮機をバイパスするように設けられた圧縮機バイパスラインと、該圧縮機バイパスラインに設けられた圧縮機バイパス弁と、前記圧縮機を加熱する圧縮機用加熱手段と、前記圧縮機近傍の前記熱媒体循環ラインの配管温度を計測する圧縮機用温度計と、前記熱媒体を加熱する熱媒体用加熱手段と、前記凝縮器の下流側の前記熱媒体の温度を計測する熱媒体用温度計と、前記圧縮機と前記膨張弁と前記圧縮機バイパス弁とを制御する制御器とを備え、前記制御器は、運転開始時に、前記圧縮機バイパス弁を開放し、前記蒸発器と前記熱媒体用加熱手段の両方または一方により加熱した前記熱媒体を循環させて装置全体の予熱を行うと共に、前記圧縮機用加熱手段により前記圧縮機を加熱し、前記圧縮機用温度計の検出温度が予め設定した閾値以上となり、かつ、前記熱媒体用温度計の検出温度が予め設定した閾値以上となったときに、前記圧縮機バイパス弁を閉じ、前記圧縮機の運転を開始させる運転開始時制御部を有するヒートポンプである。
【００２１】
前記凝縮器は、前記蒸発器よりも上方に配置され、前記運転開始時制御部は、運転開始時に、前記圧縮機バイパス弁を開放し、前記熱媒体を前記蒸発器にて蒸発させて上方の前記凝縮器に供給すると共に、その蒸発した前記熱媒体を前記凝縮器にて凝縮させて下方の前記蒸発器に戻す自然循環を発生させてもよい。
【００２２】
前記熱媒体循環ラインの一部をバイパスするように設けられたポンプ用バイパスラインと、前記ポンプ用バイパスラインに設けられた循環ポンプと、前記ポンプ用バイパスラインでバイパスした前記熱媒体循環ラインに設けられたポンプ用バイパス弁と、をさらに備え、前記運転開始時制御部は、運転開始時に、前記圧縮機バイパス弁を開放し、前記膨張弁を開放すると共に、前記ポンプ用バイパス弁を閉じ、前記循環ポンプの運転を開始させて前記熱媒体を強制循環させてもよい。
【００２３】
前記運転開始時制御部は、前記圧縮機用温度計の検出温度が予め設定した閾値以上となり、かつ、前記熱媒体用温度計の検出温度が予め設定した閾値以上となったときに、前記圧縮機バイパス弁と前記膨張弁の開度を調整して前記蒸発器の液位が所定の液位となるように制御した後、前記圧縮機の運転を開始させると共に、前記圧縮機バイパス弁を閉じてもよい。
【００２４】
前記蒸発器に供給される前記高温熱源の温度を計測する高温熱源用温度計をさらに備え、前記運転開始時制御部は、運転開始時に、前記高温熱源用温度計で検出した前記高温熱源の温度が所定温度未満であるとき、前記熱媒体用加熱手段により前記熱媒体を加熱してもよい。
【００２５】
また、本発明は、熱媒体を高温熱源と熱交換させ前記熱媒体を蒸発させる蒸発器と、該蒸発器で蒸発させた前記熱媒体を圧縮する圧縮機と、該圧縮機で圧縮された前記熱媒体を低温熱源と熱交換させ前記熱媒体を凝縮させる凝縮器と、該凝縮器で凝縮させた前記熱媒体を膨張させて前記蒸発器に供給する膨張弁と、前記蒸発器と前記圧縮機と前記凝縮器と前記膨張弁とを順次ループ状に接続する熱媒体循環ラインと、を備え、前記蒸発器に供給される前記高温熱源の温度が環境温度よりも高いヒートポンプの制御方法において、前記熱媒体循環ラインに前記圧縮機をバイパスするように圧縮機バイパスラインを設けると共に、該圧縮機バイパスラインに圧縮機バイパス弁を設け、前記圧縮機を加熱する圧縮機用加熱手段と、前記圧縮機近傍の前記熱媒体循環ラインの配管温度を計測する圧縮機用温度計と、前記熱媒体を加熱する熱媒体用加熱手段と、前記凝縮器の下流側の前記熱媒体の温度を計測する熱媒体用温度計とを設け、運転開始時に、前記圧縮機バイパス弁を開放し、前記蒸発器と前記熱媒体用加熱手段の両方または一方により加熱した前記熱媒体を循環させて装置全体の予熱を行うと共に、前記圧縮機用加熱手段により前記圧縮機を加熱し、前記圧縮機用温度計の検出温度が予め設定した閾値以上となり、かつ、前記熱媒体用温度計の検出温度が予め設定した閾値以上となったときに、前記圧縮機バイパス弁を閉じ、前記圧縮機の運転を開始させるヒートポンプの制御方法である。
【発明の効果】
【００２６】
本発明によれば、運転開始時に定格運転に到達するまでの時間を短縮でき、かつ、圧縮機に液相の熱媒体が供給されることによる不具合の発生を防止できる。
【図面の簡単な説明】
【００２７】
【図１】本発明の一実施の形態に係るヒートポンプの概略構成図である。
【図２】図１のヒートポンプの制御方法のフローチャートである。
【図３】本発明の一実施の形態に係るヒートポンプの概略構成図である。
【図４】図４のヒートポンプの制御方法のフローチャートである。
【発明を実施するための形態】
【００２８】
以下、本発明の好適な実施の形態を添付図面にしたがって説明する。
【００２９】
図１は、本実施の形態に係るヒートポンプの概略構成図である。
【００３０】
図１に示すように、ヒートポンプ１は、熱媒体を高温熱源と熱交換させ熱媒体を蒸発させる蒸発器２と、蒸発器２で蒸発させた熱媒体を圧縮する圧縮機３と、圧縮機３で圧縮された熱媒体を低温熱源と熱交換させ熱媒体を凝縮させる凝縮器４と、凝縮器４で凝縮させた熱媒体を膨張させて蒸発器２に供給する膨張弁５とを主に備えている。蒸発器２と圧縮機３と凝縮器４と膨張弁５とは、熱媒体循環ライン８により順次ループ状に接続されている。凝縮器４は、蒸発器２よりも上方（重力方向における上方）に配置される。
【００３１】
蒸発器２には、蒸発器２に高温熱源を供給する高温熱源供給ライン６が接続される。また、凝縮器４には、凝縮器４に低温熱源を供給する低温熱源供給ライン７が接続される。高温熱源供給ライン６には、蒸発器２に供給される高温熱源の温度を計測する高温熱源用温度計９が設けられる。高温熱源用温度計９は、高温熱源を蒸発器２内に導入する導入口６ａ近傍の高温熱源供給ライン６に設けられる。なお、本実施の形態では、蒸発器２の外部に高温熱源用温度計９を設けているが、高温熱源用温度計９は蒸発器２の内部に設けられていてもよい。
【００３２】
蒸発器２に供給される高温熱源の温度は、環境温度よりも高く、例えば、１００〜１５０℃である。通常運転中の熱媒体の温度は、例えば、蒸発器２で１００〜１５０℃、凝縮器４で１５０〜１８０℃である。ヒートポンプ１は、例えば、蒸気の再加熱等に用いられる産業用の高温ヒートポンプである。
【００３３】
凝縮器４と膨張弁５との間の熱媒体循環ライン８には、凝縮器４で凝縮した液相の熱媒体を貯留する中間液溜め１０が設けられる。また、蒸発器２と圧縮機３との間の熱媒体循環ライン８には、液相の熱媒体を分離して気相の熱媒体のみを圧縮機３に供給すべく、気液分離器１１が設けられる。
【００３４】
ヒートポンプ１では、熱媒体循環ライン８に圧縮機３をバイパスするように設けられた圧縮機バイパスライン１２を備えており、圧縮機バイパスライン１２には、閉止兼吐出圧力調節用の圧縮機バイパス弁１３が設けられる。本実施の形態では、圧縮機バイパスライン１２は、その一端が気液分離器１１の下部に接続され、他端が圧縮機３と凝縮器４との間の熱媒体循環ライン８に接続される。
【００３５】
また、ヒートポンプ１では、気液分離器１１にて分離された液相の熱媒体を中間液溜め１０に戻す液相戻しライン１９が設けられ、その液相戻しライン１９には、ストップバルブである液相戻しライン用二方弁２０が設けられる。液相戻しライン１９は、その一端が気液分離器１１の下部（底部）に接続され、他端が凝縮器４と中間液溜め１０との間の熱媒体循環ライン８に接続される。
【００３６】
圧縮機３には、圧縮機３を加熱する圧縮機用加熱手段２１が設けられる。圧縮機用加熱手段２１としては、例えば、シースヒータを用いることができる。また、圧縮機３近傍の熱媒体循環ライン８には、圧縮機３近傍の熱媒体循環ライン８の配管温度（配管の内壁温度）を計測する圧縮機用温度計２２が設けられる。本実施の形態では、圧縮機３の出口近傍の熱媒体循環ライン８に、圧縮機用温度計２２を設けた。なお、圧縮機用温度計２２は、圧縮機３および圧縮機３近傍の配管が十分に予熱されているかを確認できる位置であればどこに設けてもよく、例えば、圧縮機３の入口近傍の熱媒体循環ライン８、あるいは圧縮機３自体に圧縮機用温度計２２を設けるようにしてもよい。
【００３７】
蒸発器２の下部には、熱媒体を加熱する熱媒体用加熱手段２３が設けられる。詳細は後述するが、本実施の形態では、熱媒体を自然循環させて装置全体の予熱を行うので、熱媒体用加熱手段２３の加熱により自然循環を発生させるため、熱媒体用加熱手段２３は蒸発器２に設けられることが望ましい。なお、ここでは１つの熱媒体用加熱手段２３を用いる場合を説明するが、複数の熱媒体用加熱手段２３を用いるようにしてもよい。この場合、複数の熱媒体用加熱手段２３のうち少なくとも１つを蒸発器２に設け、他の熱媒体用加熱手段２３を、液相の熱媒体が貯留される中間液溜め１０や気液分離器１１の下部に設けるようにすればよい。これは、気相の熱媒体を加熱する場合と比較して、液相の熱媒体を加熱する方が、効率よく熱媒体を加熱できるためである。熱媒体用加熱手段２３としては、例えば、シースヒータを用いることができる。
【００３８】
凝縮器４の下流側の熱媒体循環ライン８には、凝縮器４の下流側の熱媒体の温度を計測する熱媒体用温度計２４が設けられる。本実施の形態では、凝縮器４の下流側に設けられる中間液溜め１０の入口近傍の熱媒体循環ライン８に、熱媒体用温度計２４を設けた。なお、熱媒体用温度計２４は、装置全体が十分に予熱されているかを確認するためのものであり、ヒートポンプ１の各構成要素のうち最も温まりにくい凝縮器４の下流側に設けられることが望ましい。
【００３９】
さて、本実施の形態に係るヒートポンプ１は、圧縮機３、膨張弁５、圧縮機バイパス弁１３、液相戻しライン用二方弁２０等を制御する制御器１５を備えている。制御器１５は、制御ライン１８により、圧縮機３、膨張弁５、圧縮機バイパス弁１３、液相戻しライン用二方弁２０、高温熱源用温度計９、圧縮機用加熱手段２１、圧縮機用温度計２２、熱媒体用加熱手段２３、および熱媒体用温度計２４に接続されている。なお、図１では、図の複雑化を避けるため、圧縮機３、圧縮機用加熱手段２１、圧縮機用温度計２２、熱媒体用加熱手段２３、および熱媒体用温度計２４に接続される制御ラインを省略している。
【００４０】
制御器１５は、圧縮機３を駆動・停止する圧縮機制御部１６を有している。本実施の形態では、制御器１５に図示しない運転スイッチと停止スイッチを設け、圧縮機３の停止中に運転スイッチがオンされたときに圧縮機制御部１６が圧縮機３を駆動し、圧縮機３の運転中に停止スイッチがオンされたときに圧縮機制御部１６が圧縮機３を停止するように構成した。つまり、ヒートポンプ１では、圧縮機３を運転／停止させる手段として、運転スイッチと停止スイッチを用いているが、圧縮機３を運転／停止させる手段については特に限定されるものではない。
【００４１】
なお、本明細書において、ヒートポンプ１の運転停止とは圧縮機３の運転を停止することを意味し、ヒートポンプ１の運転開始とは、運転停止状態から圧縮機３の運転を開始することを意味することとする。
【００４２】
制御器１５は、運転開始時に、圧縮機バイパス弁１３を開放すると共に、膨張弁５の開度を制御し、蒸発器２と熱媒体用加熱手段２３の両方または一方により加熱した熱媒体を循環させて装置全体の予熱を行うと共に、圧縮機用加熱手段２１により圧縮機３を加熱し、圧縮機用温度計２２の検出温度が予め設定した閾値以上となり、かつ、熱媒体用温度計２４の検出温度が予め設定した閾値以上となったときに、圧縮機バイパス弁１３を閉じ、圧縮機３の運転を開始させる運転開始時制御部１７を有している。
【００４３】
つまり、運転開始時制御部１７は、運転スイッチがオンされたときに、蒸発器２や熱媒体用加熱手段２３で加熱した熱媒体を循環させて装置全体を予熱すると共に、圧縮機用加熱手段２１で圧縮機３を加熱して圧縮機３と圧縮機３近傍の配管（熱媒体循環ライン８）を予熱し、これらの予熱が十分に為された後に、圧縮機制御部１６により圧縮機３の運転を開始させるものである。
【００４４】
圧縮機用温度計２２の検出温度に対する閾値、および熱媒体用温度計２４の検出温度に対する閾値は、熱媒体の蒸発温度や定格運転時における各部の温度を考慮し、適宜設定すればよい。例えば、圧縮機用温度計２２の検出温度に対する閾値は、熱媒体の蒸発温度とし、熱媒体用温度計２４の検出温度に対する閾値は、定格運転時における凝縮器４の下流側の熱媒体の温度よりも所定温度（例えば１０℃程度）低い値とすればよい。
【００４５】
本実施の形態では、運転開始時制御部１７は、運転開始時に、圧縮機バイパス弁１３を開放すると共に、蒸発器２での熱媒体の液位が最大となるように膨張弁５の開度を制御することで、熱媒体を蒸発器２にて蒸発させて上方の凝縮器４に供給すると共に、その蒸発した熱媒体を凝縮器４にて凝縮させて下方の蒸発器２に戻す自然循環を発生させるよう構成される。
【００４６】
また、蒸発器２に供給される高温熱源の温度が低いと、蒸発器２のみの加熱では熱媒体を十分に昇温できなくなり、熱媒体の自然循環を発生できなくなるおそれもあるので、運転開始時制御部１７は、運転開始時に、高温熱源用温度計９で検出した高温熱源の温度が所定温度未満（例えば熱媒体の蒸発温度未満）であるとき、熱媒体用加熱手段２３により熱媒体を加熱するように構成される（高温熱源が環境温度以下である場合には、熱媒体用加熱手段２３のみで熱媒体を加熱することになる）。なお、ここでは、高温熱源用温度計９で検出した高温熱源の温度が所定温度未満であるときのみ、熱媒体用加熱手段２３をオンにする場合を説明するが、高温熱源用温度計９で検出した高温熱源の温度に拘わらず、熱媒体用加熱手段２３を常にオンに制御するようにしてもよい。
【００４７】
また、本実施の形態では、熱媒体を自然循環させる際には、蒸発器高さ（蒸発器２の出口の高さ）をｈｅとすると、熱媒体の液位ｈｌが、下式（１）
０．７５ｈｅ≦ｈｌ＜１．０ｈｅ      ・・・（１）
を満たすように、運転開始時制御部１７が膨張弁５の開度を調整するようにした。
【００４８】
熱媒体の液位ｈｌを蒸発器高さｈｅの０．７５倍以上とするのは、蒸発器２内部で液相と気相での単位面積当たりの熱交換量を比較した場合液相の方が大きいので、できるだけ大きな熱量を熱媒体に与えるために、熱媒体の液位ｈｌを高くする必要があるためである。また、熱媒体の液位ｈｌを蒸発器高さｈｅより小さくするのは、熱媒体の液位ｈｌが蒸発器高さｈｅ以上になると、気相の熱媒体の循環が蒸発器２の出口の液相の熱媒体によって妨げられる可能性があるためである。
【００４９】
さらに、運転開始時制御部１７は、圧縮機用温度計２２の検出温度が予め設定した閾値以上となり、かつ、熱媒体用温度計２４の検出温度が予め設定した閾値以上となったとき、すなわち、圧縮機３や圧縮機３近傍の配管を含む装置全体が十分に予熱されたと判断されたとき、圧縮機バイパス弁１３と膨張弁５の開度を調整して蒸発器２の液位が所定の液位となるように制御した後、圧縮機３の運転を開始させると共に、圧縮機バイパス弁１３を閉じるようにされる。
【００５０】
本実施の形態では、圧縮機３の運転時の熱媒体の液位（すなわち通常運転時の熱媒体の液位）ｈｌは、下式（２）
０．５ｈｅ≦ｈｌ＜０．７５ｈｅ    ・・・（２）
を満たすようにしている。熱媒体の液位ｈｌを蒸発器高さｈｅの０．５倍以上とすることは一般的によく行われており、できるだけ大きな熱量を熱媒体に与えるべく、蒸発器２の半分以上が液相の熱媒体となるようにされる。また、熱媒体の液位ｈｌを蒸発器高さｈｅの０．７５倍より小さくするのは、圧縮機３に液相のままの熱媒体が送られないようにするためである。
【００５１】
なお、熱媒体を自然循環させて装置全体を予熱する際においても、蒸発器２の液位が通常運転時と同じとなるよう膨張弁５の開度を制御することも考えられるが、通常運転時の液位は低く熱媒体が蒸発しにくいため、熱媒体に自然循環を発生させるという観点からは、蒸発器２の液位は高いほうがよい。ただし、液位が蒸発器２を超えると、熱媒体は蒸発しにくくなるので、蒸発器２での熱媒体の液位が最大となるように膨張弁５の開度を制御することが望ましい。
【００５２】
次に、ヒートポンプ１の制御方法を図２を用いて説明する。制御器１５は、運転スイッチがオンされたとき、図２の制御フローを実行するようにされる。
【００５３】
図２に示すように、運転スイッチがオンされると、まず、運転開始時制御部１７は、圧縮機用加熱手段２１をオンに制御し、圧縮機用加熱手段２１で圧縮機３を加熱して圧縮機３と圧縮機３近傍の配管（熱媒体循環ライン８）の予熱を開始する（ステップＳ１）。
【００５４】
ステップＳ１にて圧縮機用加熱手段２１をオンに制御した後、運転開始時制御部１７は、圧縮機バイパス弁１３を開放する（ステップＳ２）と共に、蒸発器２での熱媒体の液位が最大となるように膨張弁５の開度を制御し（ステップＳ３）、ステップＳ４に進む。
【００５５】
ステップＳ４では、運転開始時制御部１７は、高温熱源用温度計９で検出した高温熱源の温度が所定温度（例えば熱媒体の蒸発温度）未満であるか判断する。ステップＳ４にてＹＥＳと判断された場合、運転開始時制御部１７は、熱媒体用加熱手段２３をオンに制御（ステップＳ５）した後、ステップＳ６に進む。ステップＳ４にてＮＯと判断された場合、そのままステップＳ６に進む。以上により、熱媒体を蒸発器２にて蒸発させて上方の凝縮器４に供給すると共に、その蒸発した熱媒体を凝縮器４にて凝縮させて下方の蒸発器２に戻す自然循環が発生し、装置全体の予熱が開始される。
【００５６】
ステップＳ６では、圧縮機用温度計２２の検出温度が予め設定した閾値以上となるまで待つ。圧縮機用温度計２２の検出温度が予め設定した閾値以上となったら、圧縮機３と圧縮機３近傍の配管（熱媒体循環ライン８）の予熱が十分に行われたと判断し、ステップＳ７に進む。
【００５７】
ステップＳ７では、熱媒体用温度計２４の検出温度が予め設定した閾値以上であるか判断する。ステップＳ７でＮＯと判断された場合、ステップＳ６に戻る。ステップＳ７でＹＥＳと判断された場合、装置全体が十分に予熱されたと判断し、ステップＳ８に進む。
【００５８】
ステップＳ８では、運転開始時制御部１７は、液相戻しライン用二方弁２０を開放し、気液分離器１１に溜まった液相の熱媒体を、液相戻しライン１９を介して中間液溜め１０に回収する。
【００５９】
気液分離器１１から液相の熱媒体を回収した後、運転開始時制御部１７は、圧縮機バイパス弁１３と膨張弁５の開度を調整して蒸発器２の液位が所定の液位となるように制御する（ステップＳ９）。
【００６０】
ステップＳ９で蒸発器２の液位を調整する際には、具体的には、圧縮機バイパス弁１３を開放すると共に、膨張弁５を閉じて凝縮器４から蒸発器２への液相の熱媒体の供給を停止するか、あるいは膨張弁５の開度を小さくして凝縮器４から蒸発器２への液相の熱媒体の供給量を少なくする。すると、蒸発器２に溜まった液相の熱媒体が凝縮器４側（中間液溜め１０）に移動し、蒸発器２の液位がだんだん下がってくるので、所望の液位となったときに、液位の調整を終了すればよい。蒸発器２の液位が所望の液位となったか否かは、例えば、蒸発器２に液位を検出する任意のセンサを設け、そのセンサを用いて蒸発器２の液位を検出すればよい。なお、蒸発器２の液位の検出を行わず、液位の調整を開始してから予め設定した時間を経過したときに、蒸発器２の液位が所望の液位になったとして、液位の調整を終了するようにしてもよい。
【００６１】
蒸発器２の液位を調整した後、運転開始時制御部１７は、圧縮機バイパス弁１３を閉じ（ステップＳ１０）、圧縮機制御部１６により圧縮機３の運転を開始させる（ステップＳ１１）。なお、圧縮機３を駆動するとき、液相戻しライン用二方弁２０を開放したままだと、圧力差により熱媒体が液相戻しライン１９を逆流してしまうので、圧縮機３の運転を開始させる際には、液相戻しライン用二方弁２０を閉じるようにされる。
【００６２】
図２の制御フローでは、圧縮機用加熱手段２１と熱媒体用加熱手段２３をオフする制御を記載していないが、ステップＳ７以降、すなわち圧縮機用温度計２２の検出温度が予め設定した閾値以上となり、熱媒体用温度計２４の検出温度が予め設定した閾値以上となった後であれば、どのタイミングでオフに制御してもよい。また、圧縮機３の運転開始後もオンの状態を維持し、ヒートポンプ１が定格運転に到達した後にオフに制御するようにしてもよい。
【００６３】
以上説明したように、本実施の形態に係るヒートポンプ１では、運転開始時に、圧縮機バイパス弁１３を開放し、蒸発器２と熱媒体用加熱手段２３の両方または一方により加熱した熱媒体を循環させて装置全体の予熱を行うと共に、圧縮機用加熱手段２１により圧縮機３を加熱し、圧縮機用温度計２２の検出温度が予め設定した閾値以上となり、かつ、熱媒体用温度計２４の検出温度が予め設定した閾値以上となったときに、圧縮機バイパス弁１３を閉じ、圧縮機３の運転を開始させるようにしている。
【００６４】
つまり、ヒートポンプ１では、運転開始時に、圧縮機３と圧縮機３近傍の配管（熱媒体循環ライン８）を十分に予熱すると共に、装置全体を十分に予熱した後に、圧縮機３の運転を開始させるようにしている。
【００６５】
ヒートポンプ１によれば、圧縮機３と圧縮機３近傍の配管を十分に予熱した後に、圧縮機３の運転を開始させるようにしているため、圧縮機３や圧縮機３近傍の配管で熱媒体が凝縮して液相の熱媒体が圧縮機３に供給されることがなくなり、圧縮機３に液相の熱媒体が供給されることによる不具合の発生を防止できる。
【００６６】
また、ヒートポンプ１によれば、加熱された熱媒体を循環させて装置全体を十分に予熱した後に、圧縮機３の運転を開始させるようにしているため、熱媒体として蒸発温度が高いものを用いた場合であっても、圧縮機３の運転開始時にける蒸発器２での熱媒体の蒸発量を確保し、熱媒体を循環させつつ加熱して、短時間で定格運転に到達させることが可能となる。
【００６７】
なお、熱媒体を循環させず、装置全体にヒータなどの加熱手段を設けて装置全体を予熱することも考えられるが、装置全体に加熱手段を設けるのはコストが膨大にかかり、現実的ではない。
【００６８】
さらに、ヒートポンプ１では、装置全体を予熱する際に、熱媒体を蒸発器２にて蒸発させて上方の凝縮器４に供給すると共に、その蒸発した熱媒体を凝縮器４にて凝縮させて下方の蒸発器２に戻す自然循環を発生させており、熱媒体を循環させるための動力を別途必要としないので、省エネルギー性が高い。
【００６９】
なお、熱媒体の自然循環の駆動力は、蒸発（ガス化）、凝縮（液化）のみによるため、気相の熱媒体が通る配管は、上向き、あるいは横向きの配管のみで構成して、圧力損失をできるだけ小さくすることが望ましい。なお、気相の熱媒体が通る配管に下向きの配管を含めた場合、特に、下向きから上向きに方向転換する部分では、熱媒体が凝縮して液溜まりが生じる可能性もあり、熱媒体の自然循環を妨げるので好ましくない。
【００７０】
さらにまた、ヒートポンプ１では、圧縮機用温度計２２の検出温度が予め設定した閾値以上となり、かつ、熱媒体用温度計２４の検出温度が予め設定した閾値以上となったときに、圧縮機バイパス弁１３と膨張弁５の開度を調整して蒸発器２の液位が所定の液位となるように制御した後、圧縮機３の運転を開始させるようにしているため、圧縮機３の運転を開始する際に蒸発器２の液位が高すぎて、圧縮機３に液相（ミスト状）の熱媒体が供給されて不具合が発生してしまうことを防止できる。
【００７１】
次に、本発明の他の実施の形態を説明する。
【００７２】
図３に示すヒートポンプ３１は、熱媒体循環ライン８の一部をバイパスするように設けられたポンプ用バイパスライン３２と、ポンプ用バイパスライン３２に設けられた循環ポンプ３３と、ポンプ用バイパスライン３２でバイパスした熱媒体循環ライン８に設けられたポンプ用バイパス弁３４と、を備えており、運転開始時制御部１７を、運転開始時に、圧縮機バイパス弁１３を開放し、膨張弁５を開放すると共に、ポンプ用バイパス弁３４を閉じ、循環ポンプ３３の運転を開始させて熱媒体を強制循環させるよう構成したものである。
【００７３】
図１のヒートポンプ１では、熱媒体を自然循環させて装置全体を予熱するように構成したが、図３のヒートポンプ３１では、熱媒体を循環ポンプ３３で強制循環させることで、装置全体を予熱するように構成される。なお、図３のヒートポンプ３１における図１のヒートポンプ１と同一の部材には同一の符号を付し、説明を省略する。
【００７４】
ヒートポンプ３１では、中間液溜め１０と膨張弁５との間の熱媒体循環ライン８に、ポンプ用バイパスライン３２を設けた。ポンプ用バイパスライン３２には、循環ポンプ３３が設けられ、ポンプ用バイパスライン３２でバイパスした熱媒体循環ライン８には、ストップバルブであるポンプ用バイパス弁３４が設けられる。循環ポンプ３３とポンプ用バイパス弁３４は、制御ライン１８により、制御器１５に接続されている。
【００７５】
図１のヒートポンプ１では、熱媒体を自然循環させるために蒸発器２で熱媒体を蒸発させる必要があり、熱媒体用加熱手段２３を少なくとも蒸発器２に設ける必要があるが、ヒートポンプ３１では、熱媒体を循環ポンプ３３で強制循環させるため、必ずしも蒸発器２に熱媒体用加熱手段２３を設ける必要はなく、他の部位に熱媒体用加熱手段２３を設けるようにしてもよい。ただし、上述のように、熱媒体を効率よく加熱するため、熱媒体用加熱手段２３は、液相の熱媒体が貯留される中間液溜め１０や気液分離器１１、蒸発器２の下部に設けられることが望ましい。図３では、図１のヒートポンプ１と同様に、蒸発器２の下部に熱媒体用加熱手段２３を設けた場合を示している。
【００７６】
なお、ここでは中間液溜め１０と膨張弁５との間の熱媒体循環ライン８にポンプ用バイパスライン３２を設ける場合を説明するが、これに限らず、例えば、図３に一点鎖線で示すように、ポンプ用バイパスライン３２の出口を凝縮器４の入口付近の熱媒体循環ライン８に接続するようにしてもよい。この場合、装置全体ではなく、凝縮器４とその周辺の配管のみを予熱することになるが、ヒートポンプ３１の各構成要素のうち最も温まりにくい凝縮器４とその周辺の配管を十分に予熱することで、定格運転に到達させる時間を短縮する効果は十分に得られる。なお、この場合、熱媒体用加熱手段２３は中間液溜め１０の下部に設けることが望ましい。
【００７７】
ヒートポンプ３１の制御方法を図４を用いて説明する。制御器１５は、運転スイッチがオンされたとき、図４の制御フローを実行するようにされる。なお、図４におけるステップＳ１，Ｓ６〜Ｓ１１は、図２で説明した制御と同じであるため、ここでは説明を省略する。
【００７８】
図４に示すように、ヒートポンプ３１では、運転開始時制御部１７は、ステップＳ１にて圧縮機用加熱手段２１をオンに制御した後、圧縮機バイパス弁１３と膨張弁５を開放する（ステップＳ４１）と共に、ポンプ用バイパス弁３４を閉じ、循環ポンプ３３の運転を開始させ（ステップＳ４２）、熱媒体用加熱手段２３をオンに制御する（ステップＳ４３）。これにより、加熱された液相の熱媒体が循環ポンプ３３により強制循環され、装置全体の予熱が開始される。なお、ここでは、高温熱源の温度に拘わらず熱媒体用加熱手段２３をオンに制御する場合を示しているが、図２の制御フローと同様に、高温熱源の温度が所定温度未満である場合にのみ、熱媒体用加熱手段２３をオンに制御するようにしてもよい。
【００７９】
また、ヒートポンプ３１では、運転開始時制御部１７は、ステップＳ６，７にて共にＹＥＳと判断された場合、ポンプ用バイパス弁３４を開放し、循環ポンプ３３の運転を停止させて（ステップＳ４４）、液相の熱媒体の強制循環を停止させた後に、ステップＳ８にて気液分離器１１から液相の熱媒体を回収するようにされる。これは、循環ポンプ３３の運転を停止させた後に気液分離器１１から液相の熱媒体を回収しないと、循環ポンプ３３により気液分離器１１に液相の熱媒体が供給され続けることとなり、気液分離器１１内から液相の熱媒体を除去することができないためである。
【００８０】
ヒートポンプ３１では、加熱された熱媒体を強制循環させるので、熱媒体を自然循環させる場合と比較して、循環ポンプ３３を駆動するエネルギーが必要であるものの、より短時間で定格運転に到達させることが可能である。
【００８１】
なお、ここでは、運転開始時制御部１７で循環ポンプ３３のオンオフのみを制御する場合を説明したが、運転開始時制御部１７で循環ポンプ３３の吐出量を調整するようにしてもよい。
【００８２】
より具体的には、蒸発器２の出口での熱媒体の温度を計測する温度計（図示せず）をさらに備え、当該温度計で検出した熱媒体の温度が熱媒体の蒸発温度未満となるように、循環ポンプ３３の吐出量（すなわち熱媒体の流量）を調整するように運転開始時制御部１７を構成してもよい。
【００８３】
蒸発器２に供給される高温熱源の温度が高く、蒸発器２における熱媒体の蒸発量が多くなると、熱媒体を循環させる効率が悪化するが、上述のように構成することにより、蒸発器２における熱媒体の蒸発を抑制し、熱媒体を効率よく循環させることが可能となる。
【００８４】
なお、蒸発器２における熱媒体の蒸発を抑制する制御は、これに限らず、例えば、蒸発器２に供給する高温熱源の流量や温度を調整することで、蒸発器２で高温熱源から熱媒体に与えられる熱量を低減し、熱媒体の蒸発を抑制することも可能である。
【００８５】
本発明は上記実施の形態に限定されるものではなく、本発明の要旨を逸脱しない範囲内で種々の変更を加え得ることは勿論である。
【００８６】
例えば、上記実施の形態では、凝縮器４の下流の熱媒体の温度を用い、装置全体が十分に予熱されたか否かを判断したが、ヒートポンプの構成要素の温度（例えば、凝縮器４の上部の温度や、凝縮器４と中間液溜め１０との間の熱媒体循環ライン８の配管温度など）を用いて、装置全体が十分に予熱されたか否かを判断することも可能である。
【００８７】
また、上記実施の形態では、圧縮機３のみに加熱手段（圧縮機用加熱手段２１）を設ける場合を説明したが、気液分離器１１と圧縮機３の間の配管が長い場合は、伝熱により配管が十分に予熱されない場合も考えられるので、気液分離器１１と圧縮機３の間の配管に別途ヒータなどの加熱手段を設けるようにしてもよい。
【符号の説明】
【００８８】
１  ヒートポンプ
２  蒸発器
３  圧縮機
４  凝縮器
５  膨張弁
８  熱媒体循環ライン
９  高温熱源用温度計
１２  圧縮機バイパスライン
１３  圧縮機バイパス弁
１５  制御器
１７  運転開始時制御部
２１  圧縮機用加熱手段
２２  圧縮機用温度計
２３  熱媒体用加熱手段
２４  熱媒体用温度計
【図１】
0005672977.tif 000002
【図２】
0005672977.tif 000003
【図３】
0005672977.tif 000004
【図４】
0005672977.tif 000005